(57)【要約】【課題】単一の操作ペダルでアクセル操作を含む２種類の操作を行なうことができる車両用操作ペダル装置において、２種類の操作が同時に為された場合にアクセル操作を安価な手法で確実にキャンセルする。【解決手段】常用ブレーキを作動させるために操作ペダル１２が矢印Ｂ方向へ踏込み操作されると、図１の(c) に示すように係合歯車３０が連動歯車３２から離間させられて両者の噛合が機械的に遮断され、操作ペダル１２が矢印Ａ方向へ回動しても連動歯車３２の回転が阻止されて、回転センサ３６によって検出されるアクセル操作量＝０に維持される。踏込み操作が解除されて踏込み方向の原位置まで戻されると、図１の(b) に示すように係合歯車３０が連動歯車３２に接近して機械的に噛み合わされるため、操作ペダル１２が矢印Ａ方向へ回動するようにアクセル操作されると、連動歯車３２が回転させられてその回転量がアクセル操作量として電気的に検出される。【選択図】図１
2012137896.tif 000002
【特許請求の範囲】
【請求項１】
支持軸まわりに回動可能に配設されるとともに入力部を有し、該入力部を介して該支持軸まわりに回動操作できるとともに該支持軸に向かって踏込み操作可能な操作ペダルを備えており、
前記支持軸まわりの回動操作に基づいてアクセル操作量を検出する車両用操作ペダル装置において、
前記操作ペダルおよび車体側部材の何れか一方に一体的に設けられた係合部材と、
該係合部材と係合させられるように前記操作ペダルおよび前記車体側部材の他方に配設され、該係合部材との係合により該操作ペダルの前記支持軸まわりの回動操作に機械的に連動して該他方の部材に対して相対移動させられる連動部材と、
該連動部材の前記他方の部材に対する相対移動量を前記アクセル操作量として電気的に検出するセンサと、
前記操作ペダルが前記支持軸に向かって踏込み操作されると、前記係合部材と前記連動部材とが互いに離間させられて両者の係合が機械的に遮断される一方、該踏込み操作が解除されて踏込み方向の原位置まで戻されると、該係合部材と該連動部材とが互いに接近させられて機械的に係合させられるように、該操作ペダルを案内する係合遮断機構と、
を有することを特徴とする車両用操作ペダル装置。
【請求項２】
前記係合遮断機構は、前記操作ペダルが前記支持軸に向かって踏込み操作された場合に、該支持軸が該操作ペダルと共に踏込み方向へ移動することを許容するものである
ことを特徴とする請求項１に記載の車両用操作ペダル装置。
【請求項３】
前記係合遮断機構は、車体に一体的に固設されるブラケットに設けられて前記支持軸を支持するとともに、前記操作ペダルが該支持軸に向かって踏込み操作された場合に該支持軸が踏込み方向へ移動することを許容する長穴を備えており、
前記係合部材は係合歯車で、前記支持軸と同心に且つ該支持軸まわりに相対回転不能に前記操作ペダルに配設されており、
前記連動部材は、前記係合歯車と噛み合わされる連動歯車で、前記支持軸まわりにおいて前記踏込み方向の上流側で該係合歯車と噛み合わされるように、該支持軸と平行な軸心まわりに回転可能に前記車体側部材に配設されている
ことを特徴とする請求項２に記載の車両用操作ペダル装置。
【請求項４】
前記操作ペダルが前記支持軸に向かって踏込み操作されると、その踏込み操作量に応じて常用ブレーキが作動させられる
ことを特徴とする請求項１〜３の何れか１項に記載の車両用操作ペダル装置。
【発明の詳細な説明】
【技術分野】
【０００１】
本発明は車両用操作ペダル装置に係り、特に、支持軸まわりに回動操作できるとともに支持軸に向かって踏込み操作可能な操作ペダルを有し、支持軸まわりの回動操作に基づいてアクセル操作量を検出する車両用操作ペダル装置の改良に関するものである。
【背景技術】
【０００２】
(a) 支持軸まわりに回動可能に配設されるとともに入力部を有し、その入力部を介してその支持軸まわりに回動操作できるとともにその支持軸に向かって踏込み操作可能な操作ペダルを備えており、(b) 前記支持軸まわりの回動操作に基づいてアクセル操作量（アクセル開度ともいう）を検出する車両用操作ペダル装置が知られている。特許文献１に記載の車両用操作ペダル装置はその一例で、操作ペダルが支持軸まわりに回動操作された際のその操作ペダルの回動量をアクセル操作量として検出する一方、支持軸に向かって踏込み操作されることにより機械的にブレーキ入力部材を押圧して常用ブレーキを作動させるようになっている。
【先行技術文献】
【特許文献】
【０００３】
【特許文献１】特開２００９−３７５１３号公報
【発明の概要】
【発明が解決しようとする課題】
【０００４】
しかしながら、上記従来の車両用操作ペダル装置においては、ブレーキ操作のつもりで操作ペダルを踏込み操作した時に、操作ペダルが支持軸まわりに回動すると、踏込み操作に従って常用ブレーキが作動させられるとともに、回動操作に基づいて検出されるアクセル操作量に応じてエンジン等の駆動力源が制御される。このため、運転者の意に反して駆動力変化等が生じる可能性があり、これを防止するために例えばブレーキ作動時には電気的にアクセル操作をキャンセルすることが考えられるが、新たにセンサ等が必要になったり制御が複雑になったりしてコストアップに繋がる。
【０００５】
本発明は以上の事情を背景として為されたもので、その目的とするところは、単一の操作ペダルを用いてアクセル操作（回動操作）を含む２種類の操作を行なうことができる車両用操作ペダル装置において、運転者の誤操作等で２種類の操作が同時に為された場合に、アクセル操作ができるだけ安価な手法で確実にキャンセルされるようにすることにある。
【課題を解決するための手段】
【０００６】
かかる目的を達成するために、第１発明は、(a) 支持軸まわりに回動可能に配設されるとともに入力部を有し、その入力部を介してその支持軸まわりに回動操作できるとともにその支持軸に向かって踏込み操作可能な操作ペダルを備えており、(b) 前記支持軸まわりの回動操作に基づいてアクセル操作量を検出する車両用操作ペダル装置において、(c) 前記操作ペダルおよび車体側部材の何れか一方に一体的に設けられた係合部材と、(d) その係合部材と係合させられるように前記操作ペダルおよび前記車体側部材の他方に配設され、その係合部材との係合によりその操作ペダルの前記支持軸まわりの回動操作に機械的に連動してその他方の部材に対して相対移動させられる連動部材と、(e) その連動部材の前記他方の部材に対する相対移動量を前記アクセル操作量として電気的に検出するセンサと、(f) 前記操作ペダルが前記支持軸に向かって踏込み操作されると、前記係合部材と前記連動部材とが互いに離間させられて両者の係合が機械的に遮断される一方、その踏込み操作が解除されて踏込み方向の原位置まで戻されると、その係合部材と連動部材とが互いに接近させられて機械的に係合させられるように、その操作ペダルを案内する係合遮断機構と、を有することを特徴とする。
【０００７】
第２発明は、第１発明の車両用操作ペダル装置において、前記係合遮断機構は、前記操作ペダルが前記支持軸に向かって踏込み操作された場合に、その支持軸が操作ペダルと共に踏込み方向へ移動することを許容するものであることを特徴とする。
【０００８】
第３発明は、第２発明の車両用操作ペダル装置において、(a) 前記係合遮断機構は、車体に一体的に固設されるブラケットに設けられて前記支持軸を支持するとともに、前記操作ペダルがその支持軸に向かって踏込み操作された場合にその支持軸が踏込み方向へ移動することを許容する長穴を備えており、(b) 前記係合部材は係合歯車で、前記支持軸と同心に且つその支持軸まわりに相対回転不能に前記操作ペダルに配設されており、(c) 前記連動部材は、前記係合歯車と噛み合わされる連動歯車で、前記支持軸まわりにおいて前記踏込み方向の上流側でその係合歯車と噛み合わされるように、その支持軸と平行な軸心まわりに回転可能に前記車体側部材に配設されていることを特徴とする。
【０００９】
第４発明は、第１発明〜第３発明の何れかの車両用操作ペダル装置において、前記操作ペダルが前記支持軸に向かって踏込み操作されると、その踏込み操作量に応じて常用ブレーキが作動させられることを特徴とする。
【発明の効果】
【００１０】
このような車両用操作ペダル装置においては、操作ペダルが支持軸に向かって踏込み操作されると、係合部材と連動部材とが互いに離間させられて両者の係合が機械的に遮断される一方、その踏込み操作が解除されて踏込み方向の原位置まで戻されると、係合部材と連動部材とが互いに接近させられて機械的に係合させられる。したがって、操作ペダルが踏込み方向の原位置に保持された状態で支持軸まわりに回動操作されると、その回動操作に連動して連動部材が他方の部材に対して相対移動させられ、その相対移動量がアクセル操作量としてセンサにより電気的に検出されるが、操作ペダルが踏込み操作されると、係合部材と連動部材との係合が機械的に遮断される。このため、仮に操作ペダルを踏込み操作しつつ支持軸まわりに回動操作しても、その回動操作に拘らず連動部材の相対移動が阻止され、センサによって検出されるアクセル操作量は０すなわちアクセルオフの状態に維持される。
【００１１】
このように、運転者が操作ペダルを踏込み操作した場合には、操作ペダルが支持軸まわりに回動してもアクセル操作量＝０に維持されるため、運転者の意に反して駆動力変化が生じる恐れがないとともに、操作ペダルの踏込み操作が容易になる。しかも、操作ペダルの踏込み操作に伴い、係合部材と連動部材との係合が機械的に遮断されてアクセル操作量＝０とされるため、新たにセンサ等を設けて制御的にアクセル操作（回動操作）をキャンセルする場合に比較して装置が安価に構成されるとともに、そのアクセル操作を確実にキャンセルできる。
【００１２】
第２発明では、操作ペダルが踏込み操作された場合に、支持軸が操作ペダルと共に踏込み方向へ移動することにより係合部材と連動部材との係合が遮断されるため、例えば操作ペダルを踏込み方向において２分割して伸縮させる場合等に比較して、装置が簡単且つ安価に構成される。
【００１３】
第３発明では、ブラケットに設けられた長穴によって支持軸が踏込み方向への移動可能に支持されるとともに、係合部材として係合歯車が支持軸と同心に且つその支持軸まわりに相対回転不能に操作ペダルに配設される一方、連動部材として連動歯車が支持軸まわりにおいて踏込み方向の上流側で係合歯車と噛み合わされるように、その支持軸と平行な軸心まわりに回転可能に車体側部材に配設される。したがって、操作ペダルが踏込み方向の原位置に保持された状態では、係合歯車と連動歯車との噛合により操作ペダルの回動操作が確実に連動歯車に伝達され、その連動歯車の回転量がアクセル操作量としてセンサによって検出される。また、係合部材として係合歯車が用いられているため、連動歯車と共に市販品等の汎用品を採用することが可能で、装置を簡単且つ安価に構成できる。
【００１４】
第４発明は、操作ペダルが踏込み操作されることにより常用ブレーキを作動させる場合で、車両を減速するために操作ペダルを踏込み操作した時に操作ペダルが回動してもアクセル操作量＝０に維持されるため、駆動力変化が生じて運転者に違和感を生じさせる恐れがないとともに、操作ペダルを踏込み操作するブレーキ操作が容易になる。
【図面の簡単な説明】
【００１５】
【図１】本発明の一実施例である車両用操作ペダル装置を説明する図で、(a) は全体を示す概略側面図、(b) は２種類の操作Ａ、Ｂを説明する操作ペダルの側面図、(c) は(b) の状態から操作ペダルが踏込み操作された状態を示す操作ペダルの側面図である。
【図２】図１の車両用操作ペダル装置の構成部品を分解して示した斜視図である。
【図３】図１の車両用操作ペダル装置において、操作ペダルの支持軸を案内するスライド駒等を示す縦断面図である。
【図４】本発明の他の実施例を説明する図で、(a) 、(b) はそれぞれ図１の(b) 、(c) に相当する操作ペダルの側面図である。
【図５】本発明の更に別の２つの実施例を説明する図で、(a) 、(b) 共に図１の(b) に相当する操作ペダルの側面図である。
【発明を実施するための形態】
【００１６】
本発明は、操作ペダルの回動操作に基づいてアクセル操作量を検出する車両用操作ペダル装置に関するもので、操作ペダルの踏込み操作については、例えば第４発明のように常用ブレーキを作動させるように構成されるが、足踏み式パーキングブレーキ等の他の操作ペダルとして機能するように構成することもできる。その場合に、操作ペダルの踏込み操作量（ストロークや押圧力）を電気的に検出し、駆動アクチュエータによって常用ブレーキ等を作動させることもできるが、操作ペダルにプッシュロッド等のブレーキ入力部材を連結して機械的に作動させるようになっていても良い。踏込み方向は、例えば支持軸に対して直交する方向であるが、支持軸とねじれの位置関係となる方向であっても良く、踏込み操作によりガイド等を介して支持軸に直交する方向の力が加えられるようになっていても良い。
【００１７】
係合部材および連動部材は、それぞれ操作ペダルおよび車体側部材の一方および他方に設けられ、係合部材を操作ペダルに設けた場合は車体側部材に連動部材を配設する一方、係合部材を車体側部材に設けた場合は操作ペダルに連動部材を配設すれば良い。センサは、連動部材が配設される他方の部材に設けられ、その他方の部材に対する連動部材の相対移動量をアクセル操作量として検出する。連動部材は、所定の中心線まわりに回転させられる回転体が好適に用いられ、センサは回転角度や回転数を検出する回転センサが好適に用いられるが、直線移動させられるラック等を連動部材として採用することもできる。
【００１８】
操作ペダルおよび車体側部材の一方に一体的に設けられる係合部材は、例えば、少なくとも操作ペダルが踏込み方向の原位置に保持されている状態において、支持軸を中心とする円弧に沿って設けられて連動部材と係合させられる円弧状係合部を備えており、操作ペダルの支持軸まわりの回動操作に連動して連動部材を他方の部材に対して相対移動させるように構成される。第３発明の係合歯車も、噛合歯が設けられた外周面は円弧状係合部の一態様であり、言い換えれば、第３発明の係合歯車のうち実際に連動歯車と噛み合わされる範囲は、操作ペダルの回動角度と同じ角度範囲であるため、円弧状噛合部を有する扇形等の噛合部材を採用することもできる。この係合部材についても、例えば連動部材として連動歯車を支持軸と同心に相対回転可能に操作ペダルに配設した場合、直線状に噛合歯が設けられたラック等を係合部材として車体側部材に設けることもできる。また、第３発明では、係合部材および連動部材として係合歯車、連動歯車が用いられて互いに噛み合わされるようになっているが、外周面等の係合部に摩擦材等が設けられた係合部材および連動部材を用いて、摩擦接触による摩擦力で連動部材を移動させることもできる。
【００１９】
第２発明では、支持軸が操作ペダルと共に踏込み方向へ移動することが許容されるようになっているが、第１発明の実施に際しては、例えば支持軸を移動不能にブラケット等に設けるとともに、操作ペダルを踏込み方向において２分割し、嵌合等によりその踏込み方向に伸縮するように構成したり、操作ペダルに長穴を設けて支持軸に対して相対移動可能に配設したりするなど、種々の態様が可能である。
【００２０】
第３発明では、支持軸が踏込み方向へ移動することを許容する長穴を備えて係合遮断機構が構成されているが、踏込み操作が解除された場合に支持軸を踏込み方向の原位置まで押し戻すスプリング等の付勢部材を必要に応じて設けることも可能である。但し、ブレーキ入力部材等によって押し戻される場合は必ずしも必要ない。回動操作についても、操作ペダルの回動操作が解除された場合に、その操作ペダルを回動操作方向の原位置へ戻すためのスプリング等の付勢部材が必要に応じて設けられる。
【実施例】
【００２１】
以下、本発明の実施例を、図面を参照しつつ詳細に説明する。
図１は、本発明の一実施例である車両用操作ペダル装置１０を説明する図で、(a) は全体を示す概略側面図、(b) は２種類の操作Ａ、Ｂを説明する操作ペダル１２の側面図、(c) は(b) の状態から操作ペダル１２が矢印Ｂ方向へ踏込み操作された状態を示す操作ペダル１２の側面図である。図２は、車両用操作ペダル装置１０の種々の構成部品を分解して示した斜視図である。この車両用操作ペダル装置１０は、操作ペダル１２の入力部１４の一部が露出する状態で車両の前フロア１６内に埋め込まれており、操作ペダル１２は、下フロア１８に固設されたブラケット２０を介して支持軸２２まわりに回動可能に支持されている。そして、この操作ペダル１２は、運転者の足２４により入力部１４を介して支持軸２２の右まわり（矢印Ａ方向）に回動操作できるとともに、支持軸２２と直交する方向（矢印Ｂ方向）へ踏込み操作可能で、支持軸２２まわりの回動操作に基づいてアクセル操作量が検出される。
【００２２】
ブラケット２０には、支持軸２２を軸心まわりに回転可能に支持する長穴２６が設けられており、操作ペダル１２が踏込み操作された場合に、支持軸２２が長穴２６に案内されつつ操作ペダル１２と一体的に踏込み方向Ｂへ移動することが許容される。操作ペダル１２には、図３に示すようにスライド駒５０が連結されているとともに、そのスライド駒５０に設けられたガイドロッド５２が図示しないリンク等を介してブレーキブースタ５４のプッシュロッド５６に機械的に連結されており、操作ペダル１２が踏込み方向Ｂへ踏込み操作（ブレーキ操作）されると、その踏込み操作量（押圧力）に応じて常用ブレーキが機械的に作動させられるようになっている。図３は、操作ペダル１２の支持軸２２を案内するスライド駒５０等を示す縦断面図である。
【００２３】
図１に戻って、操作ペダル１２の入力部１４と反対側の端部すなわち前端部には、係合歯車３０が支持軸２２と同心に一体的に固定されている一方、ブラケット２０或いは下フロア１８等の車体側部材には、その係合歯車３０と噛み合わされる連動歯車３２が支持軸２２と平行な軸３４まわりに回転可能に配設されている。係合歯車３０および連動歯車３２はそれぞれ係合部材および連動部材に相当するもので、操作ペダル１２が支持軸２２まわりに回動操作（アクセル操作）されると、係合歯車３０も操作ペダル１２と一体的に支持軸２２まわりに回動させられ、それに伴って連動歯車３２が自身の軸心である軸３４まわりに回転させられる。そして、その連動歯車３２の回転角度或いは回転数がアクセル操作量として回転センサ３６により電気的に検出される。回転センサ３６も、連動歯車３２と同じくブラケット２０或いは下フロア１８等の車体側部材に配設されている。操作ペダル１２は、矢印Ａ方向へ回動操作するアクセル操作が解除されると、引張コイルスプリング等の付勢部材３８（図２参照）の付勢力に従ってその回動操作方向の原位置へ戻されるようになっている。この原位置は、ブラケット２０に設けられたストッパ４０（図２参照）に操作ペダル１２が当接させられることによって規定される。
【００２４】
連動歯車３２は、支持軸２２まわりにおいて前記踏込み方向Ｂの上流側で係合歯車３０と噛み合わされるように、図１(b) において係合歯車３０の右斜め上に位置するように配置されている。これにより、操作ペダル１２が踏込み方向Ｂへ踏込み操作された場合に、図１(c) に示すように支持軸２２や係合歯車３０が操作ペダル１２と一体的に長穴２６に案内されつつ踏込み方向Ｂへ移動することが許容されるとともに、係合歯車３０が連動歯車３２から離間させられて両者の係合が機械的に遮断される。したがって、運転者が常用ブレーキを作動させるために操作ペダル１２を踏込み操作した場合に、操作ペダル１２が矢印Ａ方向へ回動しても、その回動操作に拘らず連動歯車３２の回転が阻止され、アクセル操作量は０すなわちアクセルオフの状態に維持される。すなわち、常用ブレーキを作動させるために操作ペダル１２を踏込み操作する際に、アクセル操作方向である矢印Ａ方向へ操作ペダル１２が回動してもアクセル操作量＝０に維持されるため、操作ペダル１２を踏み込むブレーキ操作が容易になる。連動歯車３２は、係合歯車３０との係合が遮断（解除）されて外力が無くなると、回転センサ３６に内蔵された図示しないスプリング等によりアクセル操作量＝０の初期位置へ戻されるようになっている。
【００２５】
一方、操作ペダル１２の踏込み操作が解除されると、圧縮コイルスプリング等の付勢部材４２（図２、図３参照）の付勢力に従って支持軸２２が長穴２６に案内されつつ矢印Ｂと反対方向へ押し戻され、操作ペダル１２が図１(b) に示す踏込み方向の原位置へ戻される。この原位置は、係合歯車３０が連動歯車３２に当接させられることによって規定されるが、別個にストッパを設けて原位置を規定することも可能である。このように係合歯車３０と連動歯車３２とが当接して噛み合わされると、操作ペダル１２が支持軸２２まわりに回動操作（アクセル操作）された場合に、その操作ペダル１２の回動量に応じて連動歯車３２が軸３４まわりに回転させられるようになり、その連動歯車３２の回転量が回転センサ３６によりアクセル操作量として検出される。本実施例では、長穴２６および付勢部材４２によって、係合歯車３０と連動歯車３２とを機械的に係合（噛合）させたり、その係合を機械的に遮断したりする係合遮断機構が構成されている。
【００２６】
次に、図２の分解斜視図を参照して更に具体的に説明する。図２の一点鎖線は、複数の構成部品の相互の位置関係を表している。
前記ブラケット２０は取付穴６０を介して図示しないボルト等により下フロア１８に一体的に固設されるとともに、互いに平行な一対の側板部６２を有しており、その一対の側板部６２の間にスライド駒５０が配置される。側板部６２には前記長穴２６が設けられており、その長穴２６とスライド駒５０に設けられた貫通穴６４とが一致する状態で、円筒形状のカラー６６が貫通穴６４内に挿入されて固設されるとともに、その貫通穴６４から突き出す両端部は長穴２６に対しては摺動可能に係合させられる。また、操作ペダル１２は、入力部１４の車両幅方向両側に連続する一対の側板部６８を有して構成され、その一対の側板部６８がブラケット２０の側板部６２を車両幅方向の両側から挟み込むように配置されるとともに、一対の側板部６８を接続する上板部にフック６９が設けられ、前記引張コイルスプリング等の付勢部材３８が掛止されるようになっている。
【００２７】
そして、上記一対の側板部６８に設けられた連結穴７０、７２、カラー６６の穴部７４、および係合歯車３０の中心に設けられた取付穴７６を互いに一致させるとともに、係合歯車３０が最も外側（手前側）に位置する状態で、それ等の取付穴７６、連結穴７０、穴部７４、連結穴７２内に支持軸２２を挿通させる。支持軸２２の一端部には凸条７８が設けられており、連結穴７０および取付穴７６に設けられた凹部と係合させられることにより、操作ペダル１２および係合歯車３０に対して相対回転不能に連結される一方、カラー６６の穴部７４に対しては回転可能とされている。
【００２８】
前記スライド駒５０にはガイドロッド５２が一体的に突設されている一方、ブラケット２０の背板部８０には、側面視（図３と同じ姿勢）において長穴２６の延長線上にガイド穴８２が設けられており、そのガイド穴８２内をガイドロッド５２が挿通させられている。このガイド穴８２とガイドロッド５２との係合により、カラー６６を介して長穴２６により支持されているスライド駒５０が、長穴２６の長手方向（前記矢印Ｂ方向と同じ）と平行な一定の姿勢に保持され、その状態で矢印Ｂ方向への移動可能に支持される。そして、スライド駒５０と背板部８０との間に前記圧縮コイルスプリング等の付勢部材４２が介在させられ、踏込み操作が解除された場合にそのスライド駒５０を介して支持軸２２および操作ペダル１２を踏込み方向の原位置まで押し戻すようになっている。
【００２９】
このような車両用操作ペダル装置１０においては、操作ペダル１２が支持軸２２に向かう矢印Ｂ方向へ踏込み操作されると、図１の(c) に示すように係合歯車３０が連動歯車３２から離間させられて両者の噛合が機械的に遮断される一方、その踏込み操作が解除されて付勢部材４２の付勢力により踏込み方向の原位置まで戻されると、図１の(b) に示すように係合歯車３０が連動歯車３２に接近させられて機械的に噛み合わされる。したがって、操作ペダル１２が踏込み方向の原位置に保持された状態で支持軸２２まわりのＡ方向へ回動するようにアクセル操作されると、そのアクセル操作に連動して連動歯車３２が軸３４まわりに回転させられ、その回転量がアクセル操作量として回転センサ３６により電気的に検出されるが、操作ペダル１２が踏込み操作されると、係合歯車３０と連動歯車３２との係合が機械的に遮断される。このため、仮に操作ペダル１２を矢印Ｂ方向へ踏込み操作しつつ支持軸２２まわりの矢印Ａ方向へ回動操作しても、その回動操作に拘らず連動歯車３２の回転が阻止され、回転センサ３６によって検出されるアクセル操作量は０すなわちアクセルオフの状態に維持される。
【００３０】
このように、運転者が操作ペダル１２を踏込み操作した場合には、操作ペダル１２が支持軸２２まわりに回動してもアクセル操作量＝０に維持されるため、運転者の意に反して駆動力変化が生じる恐れがないとともに、ブレーキを作動させるための操作ペダル１２の踏込み操作が容易になる。しかも、操作ペダル１２の踏込み操作に伴い、係合歯車３０と連動歯車３２との噛合が機械的に遮断されてアクセル操作量＝０とされるため、新たにセンサ等を設けて制御的にアクセル操作（回動操作）をキャンセルする場合に比較して、車両用操作ペダル装置１０が安価に構成されるとともに、そのアクセル操作を確実にキャンセルできる。
【００３１】
また、本実施例では、操作ペダル１２が踏込み操作された場合に、支持軸２２が操作ペダル１２と共に踏込み方向Ｂへ移動することにより係合歯車３０と連動歯車３２との噛合が遮断されるため、例えば操作ペダル１２を踏込み方向Ｂにおいて２分割して伸縮させる場合等に比較して、車両用操作ペダル装置１０が簡単且つ安価に構成される。
【００３２】
また、本実施例では、ブラケット２０に設けられた長穴２６によって支持軸２２が踏込み方向Ｂへの移動可能に支持されるとともに、係合部材として係合歯車３０が用いられて支持軸２２と同心に且つその支持軸２２まわりに相対回転不能に操作ペダル１２に配設される一方、連動部材として連動歯車３２が用いられ、支持軸２２まわりにおいて踏込み方向Ｂの上流側で係合歯車３０と噛み合わされるように、その支持軸２２と平行な軸３４まわりに回転可能に車体側部材に配設されている。したがって、操作ペダル１２が踏込み方向の原位置に保持された状態では、係合歯車３０と連動歯車３２との噛合により操作ペダル１２の回動操作が確実に連動歯車３２に伝達され、その連動歯車３２の回転量がアクセル操作量として回転センサ３６により検出される。また、係合部材として係合歯車３０が用いられているため、連動歯車３２と共に市販品等の汎用品を採用することが可能で、車両用操作ペダル装置１０を簡単且つ安価に構成できる。
【００３３】
また、本実施例は、操作ペダル１２が踏込み操作されることにより常用ブレーキを作動させる場合で、車両を減速するために操作ペダル１２を踏込み操作した時に操作ペダル１２が矢印Ａ方向へ回動してもアクセル操作量＝０に維持されるため、駆動力変化が生じて運転者に違和感を生じさせる恐れがないとともに、操作ペダル１２を踏込み操作するブレーキ操作が容易になる。
【００３４】
次に、本発明の他の実施例を説明する。なお、以下の実施例において前記実施例と実質的に共通する部分には同一の符号を付して詳しい説明を省略する。
【００３５】
図４の(a) 、(b) は前記図１の(b) 、(c) に相当する側面図である。この実施例では、連動部材として機能する連動歯車９０が、操作ペダル１２の支持軸２２から離間した中間位置に支持軸２２と平行な軸９２まわりに回転可能に配設されている一方、その連動歯車９０と噛み合わされる噛合部材９４が前記ブラケット２０や下フロア１８等の車体側部材に位置固定に配設されている。噛合部材９４は係合部材として機能するもので、図４の(a) に示すように操作ペダル１２が踏込み方向の原位置に保持されている状態において、支持軸２２を中心とする円弧に沿って噛合歯が設けられた円弧状噛合部９６を備えており、その円弧状噛合部９６が連動歯車９０と噛み合わされるようになっている。円弧状噛合部９６は円弧状係合部に相当し、操作ペダル１２が矢印Ａで示す方向へ回動操作されると、連動歯車９０は円弧状噛合部９６と噛み合いながら軸９２まわりに回転させられ、操作ペダル１２に配設された図示しない回転センサ３６により、その連動歯車９０の回転量がアクセル操作量として電気的に検出される。
【００３６】
上記噛合部材９４は、軸９２まわりにおいて踏込み方向Ｂの上流側で連動歯車９０と噛み合わされるように、図４(a) において連動歯車９０の右側に位置するように配置されている。これにより、操作ペダル１２が踏込み方向Ｂへ踏込み操作された場合に、図４(b) に示すように連動歯車９０が操作ペダル１２と共に踏込み方向Ｂへ移動することが許容されるとともに、連動歯車９０が噛合部材９４から離間させられて両者の噛合が機械的に遮断される。したがって、運転者が常用ブレーキを作動させるために操作ペダル１２を踏込み操作した場合に、操作ペダル１２が矢印Ａ方向へ回動しても、その回動操作に拘らず連動歯車９０の回転が阻止され、アクセル操作量は０すなわちアクセルオフの状態に維持されるなど、前記第１実施例と同様の作用効果が得られる。
【００３７】
図５は、本発明の更に別の実施例を説明する図で、(a) 、(b) はそれぞれ前記図１の(b) に相当する側面図である。図５(a) の実施例は、前記連動歯車３２の代わりに噛合歯１０２が直線状に設けられたラック部材１００が連動部材として用いられ、上下方向の移動可能にブラケット２０や下フロア１８等の車体側部材に配設されており、操作ペダル１２の矢印Ａ方向の回動操作に連動して下方へ移動させられるラック部材１００の直線移動量がアクセル操作量として図示しないセンサにより電気的に検出される。また、図５(b) の実施例は、上記ラック部材１００と同様に構成されたラック部材１１０を係合部材として用いて、ブラケット２０や下フロア１８等の車体側部材に位置固定に配設する一方、連動歯車１１２を連動部材として用いて、支持軸２２と同心に且つ支持軸２２まわりに相対回転可能に操作ペダル１２に配設した場合である。この場合には、操作ペダル１２の矢印Ａ方向の回動操作に連動してその操作ペダル１２に対して支持軸２２まわりに相対回転させられる連動歯車１１２の回転量がアクセル操作量として図示しない回転センサ３６により電気的に検出される。これ等の実施例においても、前記第１実施例と同様の作用効果が得られる。
【００３８】
以上、本発明の実施例を図面に基づいて詳細に説明したが、これ等はあくまでも一実施形態であり、本発明は当業者の知識に基づいて種々の変更、改良を加えた態様で実施することができる。
【符号の説明】
【００３９】
１０：車両用操作ペダル装置    １２：操作ペダル    １４：入力部    １８：下フロア（車体側部材）    ２０：ブラケット（車体側部材）    ２２：支持軸    ２６：長穴（係合遮断機構）    ３０：係合歯車（係合部材）    ３２：連動歯車（連動部材）    ３６：回転センサ（センサ）    ４２：付勢部材（係合遮断機構）    ９０、１１２：連動歯車（連動部材）    ９４：噛合部材（係合部材）    １００：ラック部材（連動部材）    １１０：ラック部材（係合部材）    Ａ：回動操作方向    Ｂ：踏込み方向
【図１】
2012137896.tif 000003
【図２】
2012137896.tif 000004
【図３】
2012137896.tif 000005
【図４】
2012137896.tif 000006
【図５】
2012137896.tif 000007